(57)【要約】　　　（修正有）【課題】プログラム情報に関連する情報が情報提供者からユーザに提供される場合に、その情報に応じた対価をより効率的に処理することが可能な情報提供システム及び方法等を提供する。【課題手段】ネットワーク４を介して情報の提供を行う情報提供装置２と、前記情報提供装置２により提供される情報に関する権利を有する権利者側の権利者側装置３と、１の記録媒体に記録されたプログラム情報を再生する情報再生手段を有し、当該プログラム情報が再生される場合には、関連する付随情報と、前記プログラム情報又は前記付随情報に関連する広告情報との少なくとも何れかから成る関連情報を要求するべく、当該プログラム情報に対応する識別情報を前記情報提供装置２に送信する情報再生装置１と、を備えた情報提供システムＳであって、前記情報提供装置２が受信したその識別情報に基づいて、取得した関連情報に応じた対価情報を前記権利者側装置３に提供する。【選択図】　図１
2004133625.tif 000002
【特許請求の範囲】
【請求項１】
ネットワークを介して情報の提供を行う情報提供装置と、
前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムであって、
前記情報提供装置は、
前記情報再生装置から送信された前記識別情報を前記ネットワークを介して受信する識別情報受信手段と、
前記受信された識別情報に基づいて、前記関連情報を取得する関連情報取得手段と、
前記関連情報を前記ネットワークを介して前記情報再生装置に提供する関連情報提供手段と、
前記提供された前記関連情報に応じた対価情報を前記ネットワークを介して前記権利者側装置に提供する対価情報提供手段と、
を備えることを特徴とする情報提供システム。
【請求項２】
ネットワークを介して情報の提供を行う情報提供装置と、
前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムであって、
前記情報提供装置は、
前記情報再生記録装置から送信された前記識別情報を前記ネットワークを介して受信する識別情報受信手段と、
前記受信された識別情報に基づいて、前記関連情報を取得する関連情報取得手段と、
前記関連情報を前記ネットワークを介して前記情報再生記録装置に提供する関連情報提供手段と、
前記提供された前記関連情報に応じた対価情報を前記ネットワークを介して前記権利者側装置に提供する対価情報提供手段と、
を備えることを特徴とする情報提供システム。
【請求項３】
請求項１または２に記載の情報提供システムにおいて、
前記対価情報は、前記提供される関連情報が有する広告効果又は付随必然性により前記関連情報に応じた対価が相殺されることを特徴とする情報提供システム。
【請求項４】
請求項１乃至３の何れか一項に記載の情報提供システムにおいて、
前記対価情報は、前記関連情報に応じた金銭の支払を示す情報であることを特徴とする情報提供システム。
【請求項５】
請求項１乃至４の何れか一項に記載の情報提供システムにおいて、
前記情報提供装置は、前記情報再生装置又は前記情報再生記録装置のユーザ毎にユーザ情報を管理するユーザ情報管理手段をさらに備え、
当該ユーザ情報管理手段は、前記情報再生装置又は前記情報再生記録装置から前記識別情報の送信がある毎に、当該識別情報に基づいて、前記ユーザ情報を更新し、
前記対価情報は、前記ユーザ情報の一部として前記ユーザ情報管理手段によって管理されることを特徴とする情報提供システム。
【請求項６】
請求項１乃至５の何れか一項に記載の情報提供システムにおいて、
前記情報再生装置又は、前記情報再生記録装置は、前記情報提供装置から提供された関連情報を前記プログラム情報の再生時又は、記録時にユーザに提示するユーザ提示手段を備えることを特徴とする情報提供システム。
【請求項７】
ネットワークを介して情報の提供を行う情報提供装置と、
前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムにおける前記情報提供装置であって、
前記情報再生装置から送信された前記識別情報を前記ネットワークを介して受信する識別情報受信手段と、
前記受信された識別情報に基づいて、前記関連情報を取得する関連情報取得手段と、
前記関連情報を前記ネットワークを介して前記情報再生装置に提供する関連情報提供手段と、
前記提供された前記関連情報に応じた対価情報を前記ネットワークを介して前記権利者側装置に提供する対価情報提供手段と、
を備えることを特徴とする情報提供装置。
【請求項８】
ネットワークを介して情報の提供を行う情報提供装置と、
前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムにおける情報提供装置であって、前記情報再生記録装置から送信された前記識別情報を前記ネットワークを介して受信する識別情報受信手段と、
前記受信された識別情報に基づいて、前記関連情報を取得する関連情報取得手段と、
前記関連情報を前記ネットワークを介して前記情報再生記録装置に提供する関連情報提供手段と、
前記提供された前記関連情報に応じた対価情報を前記ネットワークを介して前記権利者側装置に提供する対価情報提供手段と、
を備えることを特徴とする情報提供装置。
【請求項９】
ネットワークを介して情報の提供を行う情報提供装置と、
前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムにおける前記情報提供装置に含まれるコンピュータを、
前記情報再生装置から送信された前記識別情報を前記ネットワークを介して受信し、
前記受信された識別情報に基づいて、前記関連情報を取得し、
前記関連情報を前記ネットワークを介して前記情報再生装置に提供し、
前記提供された前記関連情報に応じた対価情報を前記ネットワークを介して前記権利者側装置に提供するように機能させることを特徴とする情報提供処理プログラム。
【請求項１０】
ネットワークを介して情報の提供を行う情報提供装置と、前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムにおける情報提供装置に含まれるコンピュータを、
前記情報再生記録装置から送信された前記識別情報を前記ネットワークを介して受信し、
前記受信された識別情報に基づいて、前記関連情報を取得し、
前記関連情報を前記ネットワークを介して前記情報再生記録装置に提供し、
前記提供された前記関連情報に応じた対価情報を前記ネットワークを介して前記権利者側装置に提供するように機能させることを特徴とする情報提供処理プログラム。
【請求項１１】
ネットワークを介して情報の提供を行う情報提供装置と、前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムにおける情報提供方法であって、
前記情報提供装置が、前記情報再生装置から送信された前記識別情報を前記ネットワークを介して受信し、
前記情報提供装置が、前記受信された識別情報に基づいて、前記関連情報を取得し、
前記情報提供装置が、前記関連情報を前記ネットワークを介して前記情報再生装置に提供し、
前記情報提供装置が、前記提供された前記関連情報に応じた対価情報を前記ネットワークを介して前記権利者側装置に提供することを特徴とする情報提供方法。
【請求項１２】
ネットワークを介して情報の提供を行う情報提供装置と、前記ネットワークを介して前記情報提供装置に接続され、前記情報提供装置により提供される情報に関する権利を有する権利者側の権利者側装置と、
前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムにおける情報提供方法であって、前記情報提供装置が、前記情報再生記録装置から送信された前記識別情報を前記ネットワークを介して受信し、
前記情報提供装置が、前記受信された識別情報に基づいて、前記関連情報を取得し、
前記情報提供装置が、前記関連情報を前記ネットワークを介して前記情報再生記録装置に提供し、
前記情報提供装置が、前記提供された前記関連情報に応じた対価情報を前記ネットワークを介して前記権利者側装置に提供することを特徴とする情報提供方法。
【発明の詳細な説明】
【０００１】
【発明の属する技術分野】
１の記録媒体に記録されたプログラム情報を再生する場合、または、１の記録媒体に記録されたプログラム情報を再生し他の記録媒体に記録する場合に、ネットワークを介して所定の情報を取得しユーザに提示することが可能なシステム及び方法の技術分野に関する。
【０００２】
【従来の技術】
近年、楽曲などの音声データ（プログラム情報）を記録したＣＤ（Ｃｏｍｐａｃｔ　Ｄｉｓｃ）等の記録媒体と、音声データばかりでなく画像データをも記録したＤＶＤ（Ｄｉｇｉｔａｌ　Ｖｅｒｓａｔｉｌｅ　Ｄｉｓｃ）等の記録媒体とを同一の収納部内に収納し、ユーザからの指示により、ディスクチェンジャが再生すべき記録媒体を自動的に交換して再生する情報再生装置が普及され始めてきている。
【０００３】
ところが、このような情報再生装置において、画像データが記録されていないＣＤから音声データを再生する場合、ディスプレイの画面は、いわゆる、ブルーバックになり、該ディスプレイが有効に活用されないという問題があった。
【０００４】
かかる問題に鑑み、特開２０００−２６８５４３号公報に開示された再生装置では、ユーザが、メモリーカード等に記録された画像データを音声データに対応付けて予め該再生装置内のＨＤ（Ｈａｒｄ　Ｄｉｓｃ）に記録し、ＣＤから該音声データを再生する場合に、記録された画像データを読み出しディスプレイに出力表示するようにしている。
【特許文献１】特開２０００−２６８５４３号公報
また、近年、ＣＤに記録された音声データを自動的にＨＤに記録する、いわゆるＣＤリッピングを行うことができる情報再生記録装置が知られており、かかる装置によれば、ユーザは、例えば、自己が購入した多くのＣＤに収録された音声データをＨＤに記録することができる。特に、かかる装置が車載用のものである場合、ユーザは車に乗る度に、多くのＣＤを車内に持ち込むという煩雑さを解消することができる。
【０００５】
【発明が解決しようとする課題】
しかしながら、このような従来の情報再生装置では、ＣＤから音声データを再生する場合にディスプレイに表示するための画像データを予め該再生装置内のＨＤ等に記録しておく必要があるため、ユーザにとっては非常に手間がかかり煩雑であると考えられる。
【０００６】
また、従来の、例えば、車載用の情報再生記録装置におけるＨＤに、ユーザが購入したＣＤに収録された音声データを記録した場合、ＣＤを車内に持ち込まなくてもよいが、それらのＣＤのパッケージに収納されたジャケット写真、歌詞などが記載されている冊子等も持ち込まなくなる。そのようなジャケット写真、歌詞などが記載されている冊子等も、ＣＤを購入する際に支払った対価に含まれる貴重なコンテンツであるが、ユーザは、その対価に含まれるコンテンツを十分に活用できないという結果となる。
【０００７】
このため、仮に、将来、例えば、ＣＤのパッケージに収納されたジャケット写真、歌詞などが記載されている冊子等を含む情報がネットワーク上で情報提供者からユーザに提供されることができるようになった場合、その情報提供者は、そのジャケット写真に関する権利（著作権等）を有する権利者側にその使用料等の対価を支払う必要が生じるものと考えられ、また、逆に、権利者側から情報提供者に当該情報提供に含まれる広告料を支払う場合も考えられるが、その手続きが煩雑になることが想定される。
【０００８】
そこで、上記不便さの解消を一つの課題とし、プログラム情報に関連する情報が情報提供者からユーザに提供される場合に、その情報に応じた対価をより効率的に処理することが可能な情報提供システム及び方法等を提供することを目的する。
【０００９】
【課題を解決するための手段】
上記課題を解決するため、請求項１記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムであって、前記情報提供装置は、前記情報再生装置から送信された前記識別情報を前記ネットワークを介して受信する識別情報受信手段と、前記受信された識別情報に基づいて、前記関連情報を取得する関連情報取得手段と、前記関連情報を前記ネットワークを介して前記情報再生装置に提供する関連情報提供手段と、前記提供された前記関連情報に応じた対価情報を前記ネットワークを介して前記権利者側装置に提供する対価情報提供手段と、を備えることを特徴とする。
【００１０】
請求項２記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムであって、前記情報提供装置は、前記情報再生記録装置から送信された前記識別情報を前記ネットワークを介して受信する識別情報受信手段と、前記受信された識別情報に基づいて、前記関連情報を取得する関連情報取得手段と、前記関連情報を前記ネットワークを介して前記情報再生記録装置に提供する関連情報提供手段と、前記提供された前記関連情報に応じた対価情報を前記ネットワークを介して前記権利者側装置に提供する対価情報提供手段と、を備えることを特徴とする。
【００１１】
請求項７記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムにおける前記情報提供装置であって、前記情報再生装置から送信された前記識別情報を前記ネットワークを介して受信する識別情報受信手段と、前記受信された識別情報に基づいて、前記関連情報を取得する関連情報取得手段と、前記関連情報を前記ネットワークを介して前記情報再生装置に提供する関連情報提供手段と、前記提供された前記関連情報に応じた対価情報を前記ネットワークを介して前記権利者側装置に提供する対価情報提供手段と、を備えることを特徴とする。
【００１２】
請求項８記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムにおける情報提供装置であって、前記情報再生記録装置から送信された前記識別情報を前記ネットワークを介して受信する識別情報受信手段と、前記受信された識別情報に基づいて、前記関連情報を取得する関連情報取得手段と、前記関連情報を前記ネットワークを介して前記情報再生記録装置に提供する関連情報提供手段と、前記提供された前記関連情報に応じた対価情報を前記ネットワークを介して前記権利者側装置に提供する対価情報提供手段と、を備えることを特徴とする。
【００１３】
請求項９記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムにおける前記情報提供装置に含まれるコンピュータを、前記情報再生装置から送信された前記識別情報を前記ネットワークを介して受信し、前記受信された識別情報に基づいて、前記関連情報を取得し、前記関連情報を前記ネットワークを介して前記情報再生装置に提供し、前記提供された前記関連情報に応じた対価情報を前記ネットワークを介して前記権利者側装置に提供するように機能させることを特徴とする。
【００１４】
請求項１０記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムにおける情報提供装置に含まれるコンピュータを、前記情報再生記録装置から送信された前記識別情報を前記ネットワークを介して受信し、前記受信された識別情報に基づいて、前記関連情報を取得し、前記関連情報を前記ネットワークを介して前記情報再生記録装置に提供し、前記提供された前記関連情報に応じた対価情報を前記ネットワークを介して前記権利者側装置に提供するように機能させることを特徴とする。
【００１５】
請求項１１記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生する情報再生手段を有し、当該プログラム情報が再生される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生装置と、を備えた情報提供システムにおける情報提供方法であって、前記情報提供装置が、前記情報再生装置から送信された前記識別情報を前記ネットワークを介して受信し、前記情報提供装置が、前記受信された識別情報に基づいて、前記関連情報を取得し、前記情報提供装置が、前記関連情報を前記ネットワークを介して前記情報再生装置に提供し、前記情報提供装置が、前記提供された前記関連情報に応じた対価情報を前記ネットワークを介して前記権利者側装置に提供することを特徴とする。
【００１６】
請求項１２記載の発明は、ネットワークを介して情報の提供を行う情報提供装置と、前記ネットワークを介して前記情報提供装置に接続され、前記情報提供装置により提供される情報に関する権利を有する権利者側の権利者側装置と、前記ネットワークを介して前記情報提供装置にアクセス可能であって、１の記録媒体に記録されたプログラム情報を再生し他の記録媒体に記録する情報再生記録手段を有し、当該プログラム情報が記録される場合には、当該プログラム情報に関連する付随情報と、前記プログラム情報又は前記付随情報に関連する広告情報との少なくとも何れかから成る関連情報を要求するべく、当該プログラム情報に対応する識別情報を前記ネットワークを介して前記情報提供装置に送信する情報再生記録装置と、を備えた情報提供システムにおける情報提供方法であって、前記情報提供装置が、前記情報再生記録装置から送信された前記識別情報を前記ネットワークを介して受信し、前記情報提供装置が、前記受信された識別情報に基づいて、前記関連情報を取得し、前記情報提供装置が、前記関連情報を前記ネットワークを介して前記情報再生記録装置に提供し、前記情報提供装置が、前記提供された前記関連情報に応じた対価情報を前記ネットワークを介して前記権利者側装置に提供することを特徴とする。
【００１７】
【発明の実施の形態】
次に、本願に好適な実施の形態について、図面に基づいて説明する。なお、以下に説明する実施の形態は、車載用ＡＶ（Ａｕｄｉｏ　Ｖｉｓｕａｌ）システムに対して本願を適用した場合の実施形態である。
【００１８】
［車載用ＡＶシステムの構成及び機能］
始めに、図１を参照して、本実施形態にかかる車載用ＡＶシステムの構成及び機能を説明する。図１は、本願の情報提供システムの一例としての車載用ＡＶシステムＳの概要構成を示すブロック図である。
【００１９】
図１に示すように、車載用ＡＶシステムＳは、本願の情報再生装置及び情報再生記録装置の一例としての車載用ＡＶ装置１と、本願の情報提供装置の一例としての情報提供サーバ２と、当該情報提供サーバ２により提供される情報に関する権利（例えば、著作権等）を有する権利者側の権利者側サーバ（本願の権利者側装置の一例）３を含んで構成されている。情報提供サーバ２と権利者側サーバ３とは、ネットワーク４を介して相互に接続されている。また、車載用ＡＶ装置１は、ネットワーク４を介して情報提供サーバ２にアクセス可能になっている。ネットワーク４は、例えば、移動体通信網及びインターネット網等により構成される。なお、実際には、車載用ＡＶ装置１は、ユーザの数に応じて、複数設けられることになる。
【００２０】
また、上記権利者側には、当該権利者（例えば、ＣＤの製作・販売会社）ばかりでなく、その権利者に関わる者（例えば、ＣＤ製作・販売会社の子会社、下請け会社、或いは、委託会社等）も含まれる。
【００２１】
［車載用ＡＶ装置］
先ず、車載用ＡＶ装置１の構成及び機能について説明する。
【００２２】
車載用ＡＶ装置１は、車両に搭載されるものであり、図１に示すように、ＣＤ（Ｃｏｍｐａｃｔ　Ｄｉｓｃ）再生部１１と、ＨＤ（Ｈａｒｄ　Ｄｉｓｃ）記録再生部１２と、リモートコントローラ及び操作ボタン等を含む入力部１３と、表示制御部１４と、音声出力部１５と、通信部１６と、各構成部分を制御する制御部１７と、を含んで構成されており、各構成部分は、バス１８を介して相互に接続されている。
【００２３】
なお、制御部１７の制御の下、ＣＤ再生部１１により、１の記録媒体の一例としてのＣＤに記録されたプログラム情報を再生する情報再生手段としての機能が実行されることになる。また、制御部１７の制御の下、ＣＤ再生部１１及びＨＤ記録再生部１２により、１の記録媒体の一例としてのＣＤに記録されたプログラム情報を再生し、他の記録媒体の一例としてのＨＤに記録する情報再生記録手段としての機能（リッピング機能）が実行されることになる。なお、プログラム情報には、音声データ（特に、音楽に関する楽曲データを含む）、画像データ、テキストデータ等及びこれらの圧縮データを含むが、以下では、プログラム情報として楽曲データを例にとって説明する。
【００２４】
ＣＤ再生部１１は、ＣＤ（例えば、ユーザが適法に購入し、そのユーザが占有するＣＤ）を装填するための装填機構、ＣＤに記録された楽曲データを光学的に読み取るピックアップ、ＣＤを回転駆動するスピンドルモータ、スピンドルモータとピックアップをサーボ制御するサーボ回路、読み取られた楽曲データ（ＲＦ信号）に対して所定の復調処理等を施す信号処理部などを備えており、制御部１７の制御の下、楽曲データを再生し、バス１８を介してＨＤ記録再生部１２及び音声出力部１５に出力するようになっている。また、ＣＤ再生部１１は、制御部１７の制御の下、ＣＤの最内周部に記録された識別情報の一例としてのＴＯＣ（Ｔａｂｌｅ　ｏｆ　Ｃｏｎｔｅｎｔｓ）情報を読み出しバス１８を介して制御部１７に出力するようになっている。このＴＯＣ情報には、公知の如く、楽曲データ毎のＣＤ上での開始位置と最終楽曲データの終了位置の絶対時間が含まれている。
【００２５】
なお、本実施形態では、情報再生手段の一例としてＣＤ再生部１１を適用したが、これに限定されるものではなく、例えば、ＤＶＤ（Ｄｉｇｉｔａｌ　Ｖｅｒｓａｔｉｌｅ　Ｄｉｓｃ）に記録された楽曲及び映像データを再生するＤＶＤ再生部や、ＭＤ（Ｍｉｎｉ　Ｄｉｓｃ）に記録された楽曲データを再生するＭＤ再生部などを適用してもよく、また、これらを併用するように構成してもよい。
【００２６】
ＨＤ記録再生部１２は、バッファメモリ、ＨＤ及びＨＤドライブなどを備えており、ＣＤ再生部１１から出力された楽曲データは、制御部１７の制御の下（ユーザから記録指示がある場合にのみ）、バス１８を介してバッファメモリに一旦蓄えられた後、ＨＤドライブによりＨＤに記録されるようになっている。また、この際、ＣＤ再生部１１により読み出されたＴＯＣ情報が、当該楽曲データに対応付けられてＨＤに記録される。また、ＨＤに記録された楽曲データは、制御部１７の制御の下、再生され、一端、バッファメモリに蓄えられた後、バス１８を介して音声出力部１５に出力されるようになっている。
【００２７】
さらに、ＨＤ記録再生部１２は、ＣＤ若しくはＨＤに記録された楽曲データが再生される場合、或いは、ＣＤに記録された楽曲データが再生されＨＤに記録される場合に、情報提供サーバ１２から送信（提供）された後述する楽曲データに関連する付随情報と、楽曲データ又は付随情報に関連する広告情報との少なくとも何れかから成る関連情報に係る、例えば、音声データ、画像データ及びテキストデータ等をＨＤドライブによりＨＤに記憶するとともに、当該関連情報に対応付けて、当該ＣＤから読み取られたＴＯＣ情報をＨＤの所定のメモリに記憶する。なお、この場合、ＴＯＣ情報は、ＨＤとは別の不揮発性メモリ（例えば、ＥＥＰＲＯＭ）を設け、これに記憶されるようにしてもよい。そして、ＨＤに記録された画像データ、テキストデータ及び音声データ等は、制御部１７の制御の下、再生され、一端、バッファメモリに蓄えられた後、バス１８を介して表示制御部１４及び音声出力部１５の何れか一方に出力されるようになっている。
【００２８】
なお、ＨＤには、情報提供サーバ２にネットワーク４を介してアクセスするために必要な情報（例えば、ネットワーク上におけるアドレス）が記憶されている。
【００２９】
なお、本実施形態では、一例としてＨＤ記録再生部１２を適用したが、これに限定されるものではなく、例えば、ＣＤ−Ｒに楽曲データを記録再生するＣＤ−Ｒ記録再生部や、ＤＶＤ−Ｒ／Ｗに楽曲データを記録再生するＤＶＤ−Ｒ／Ｗ記録再生部などを適用してもよく、また、これらを併用するように構成してもよい。
【００３０】
次に、入力部１３は、リモートコントローラや操作ボタンをユーザが操作することにより、当該ユーザからの操作指示を受け付けるものであり、その操作に対応する操作信号が生成されてバス１８を介して制御部１７等に出力される。
【００３１】
表示制御部１４は、画像データに対して所定の復号（デコード）処理を施すデコーダ、液晶表示パネル及び当該液晶表示パネルに対して画像データ及びテキストデータを表示する処理を実行する表示処理部等を含んで構成されており、制御部１７の制御の下、車載用ＡＶ装置１の動作時において必要な情報を文字情報等により表示するようになっている。また、表示制御部１４は、制御部１７の制御の下、情報提供サーバ２から提供された関連情報に係る画像データ及びテキストデータを、画像及びテキスト等として表示する。さらに、表示制御部１４は、制御部１７の制御の下、ＨＤ記録再生部１２から出力された画像データ及びテキストデータを画像及びテキスト等として表示する。
【００３２】
音声出力部１５は、音声データに対して所定の音響処理を施す音響処理部、デジタル音声データをアナログ音声信号に変換するＤＡＣ（Ｄｉｇｉｔａｌ−ｔｏ−Ａｎａｌｏｇ　Ｃｏｎｖｅｒｔｅｒ）、アナログ音声信号を増幅する増幅器及び増幅されたアナログ音声信号を音波して出力するスピーカ等を含んで構成されている。これにより、音声出力部１５は、ＣＤ再生部１１から出力された楽曲データを、制御部１７の制御の下、音波としてスピーカから出力するようになっている。また、音声出力部１５は、制御部１７の制御の下、情報提供サーバ２から提供された関連情報に係る音声データを音波としてスピーカから出力する。さらに、音声出力部１５は、制御部１７の制御の下、ＨＤ記録再生部１２から出力された音声データを音波としてスピーカから出力する。
【００３３】
通信部１６は、ネットワーク４を介して情報提供サーバ２とデータ通信を行うためのものであり、制御部１７の制御の下、送信すべき情報（信号）が入力されると、当該信号に対して予め設定されている出力インターフェース処理を実行し、当該信号をネットワーク４を介して情報提供サーバ２に出力するようになっている。また、通信部１６は、制御部１７の制御の下、情報提供サーバ２からネットワーク４を介して送信された情報（信号）に対して予め設定されている入力インターフェース処理を実行し、制御部１７等に出力するようになっている。
【００３４】
次に、制御部１７は、演算機能を有するコンピュータとしてのＣＰＵ、作業用ＲＡＭ、各種処理プログラムやデータを記憶するＲＯＭ、発振回路等を備えており、入力部５からの操作信号を受けると、そこに含まれている操作内容に基づいて各構成部分を制御するための制御情報を生成してバス１８を介して該当する構成部分に出力するようになっている。これにより、制御部１７は、車載用ＡＶ装置１を構成する各構成部分の動作を統轄制御する。
【００３５】
また、制御部１７は、ＲＯＭ等に記憶された情報提示処理プログラムを実行することにより、識別情報取得手段、識別情報送信手段、関連情報受信手段、ユーザ提示手段、関連情報記憶手段として機能するようになっている。
【００３６】
より具体的には、制御部１７は識別情報取得手段として機能することにより、ＣＤに記録された楽曲データに対応するＴＯＣ情報を、ＣＤ再生部１１（既に、楽曲データがＨＤに記録されている場合には、ＨＤ記録再生部１２）から取得する。
【００３７】
そして、制御部１７は、ＣＤ若しくはＨＤに記録された楽曲データが再生される（以下、「ＣＤ再生若しくはＨＤ再生」という）場合、或いは、ＣＤに記録された楽曲データが再生されＨＤに記録される（以下、「ＣＤリッピング」という）場合には、当該楽曲データに関連する付随情報と、楽曲データ又は付随情報に関連する広告情報との少なくとも何れかから成る関連情報を要求するべく、通信部１６と共に識別情報送信手段として機能することにより、上記ＴＯＣ情報をネットワーク４を介して情報提供サーバ２に送信する。
【００３８】
また、制御部１７は、通信部１６と共に関連情報受信手段として機能することにより、上記ＴＯＣ情報に応じて情報提供サーバ２から送信された上記関連情報をネットワーク４を介して受信する。そして、制御部１７は、ユーザ提示手段として機能することにより、上記関連情報を、上記楽曲データの再生時、或いは、上記楽曲データの記録時にユーザに提示、例えば、画像データ及びテキストデータであった場合、液晶表示パネルに表示させ、音声データであった場合、スピーカから出力させる。これにより、ユーザは、楽曲データの再生時若しくは、楽曲データの記録時に、上記関連情報を知覚することができる。
【００３９】
ここで、楽曲データの再生時とは、楽曲が実際に再生されている間ばかりでなく、再生準備のローディング時（実際に再生されていなくても再生動作に入っている時）も含まれる広い概念である。また、楽曲データの記録時についても、再生時と同様の概念である。
【００４０】
また、制御部１７は、ＨＤ記録再生部１２と共に関連情報記憶手段として機能することにより、上記関連情報と、上記ＴＯＣ情報とを対応つけてＨＤの所定のメモリ領域に記憶させる。このように、一端、上記関連情報がＨＤに記憶されれば、再度、同一の楽曲データがＣＤ若しくはＨＤから再生される場合に、当該関連情報が情報提供サーバ２から送信されないように構成してもよい。
【００４１】
［関連情報の内容］
次に、上記楽曲データに関連する付随情報及び、楽曲データ又は付随情報に関連する広告情報の具体的内容について説明する。
【００４２】
楽曲データに関連する付随情報は、例えば、その楽曲、或いは、その楽曲が収録されているＣＤに付随（付属）する情報であり、これには、例えば、その楽曲が収録されたＣＤのパッケージ表面におけるジャケット写真（以下、「ＣＤのジャケット写真」という）、そのＣＤのパッケージ内に収納されている冊子に印刷された写真、歌詞、解説文、楽曲情報（例えば、その楽曲完成にあたっての背景などの説明）、アーティスト情報（例えば、作詞者、作曲者、歌手に関する説明）、レーベル情報（例えば、権利者としてのＣＤの製作・販売会社（組織）等の説明）等のＣＤコンテンツの画像データ及びテキストデータの他、そのＣＤコンテンツ以外の、例えば、そのＣＤに関して後述する情報提供サーバ２の情報検索用データベース２１ａに登録されている楽曲データに関する属性情報や、そのＣＤのアーティストに関する情報（例えば、ＣＤのパッケージに収納されていないブロマイド写真画像等の、いわゆる初回限定品等に用いられるもの）、ＣＤのパッケージ内に収納されている冊子に印刷された歌詞の音声情報（歌詞の読み上げ）等が含まれる。
【００４３】
なお、かかる付随情報の提供が、権利者としてのＣＤの製作・販売会社によるＣＤのプロモーション活動の一貫である場合には、かかる付随情報は広告情報ということもできる。
【００４４】
楽曲データに関連する広告情報は、例えば、その楽曲、或いは、その楽曲が収録されているＣＤを宣伝広告するための情報であり、これには、例えば、その楽曲が収録された他のＣＤ（例えば、アルバム）のジャケット写真等や、その楽曲が含まれているヒットチャート等の情報が含まれる。
【００４５】
付随情報に関連する広告情報は、例えば、上記付随情報について宣伝広告するための情報であり、これには、例えば、その楽曲のアーティストの新譜のプロモーション情報（例えば、そのアーティストの新アルバムが来週○月○日に販売する旨の画像若しくは音声による情報）、その楽曲のレーベルの新譜のプロモーション情報（例えば、今後、そのＣＤの製作・販売会社により製作販売される新しいＣＤについてのリスト画像、若しくは、音声による情報）、その楽曲のジャンル（例えば、ロック、ジャズ）の新譜のプロモーション情報などが含まれる。
【００４６】
なお、上記付随情報及び広告情報には、ジャケット写真画像等の静止画像ばかりでなく、動画像（例えば、アーティストのプロモーションビデオ（ＰＶ））も含まれるようにしてもよい。
【００４７】
［情報提供サーバ］
次に、情報提供サーバ２の構成及び機能について説明する。
【００４８】
情報提供サーバ２は、情報提供者により固定設置されるものであり、図１に示すように、記憶部２１、入力部２２、通信部２３及び制御部２４を含んで構成されており、各構成部分は、バス２５を介して相互に接続されている。
【００４９】
記憶部２１は、例えば、ハードディスク等から構成されており、ここには、図示のように、情報検索用データベース２１ａ、関連情報用データベース２１ｂ、情報マッチング用データベース２１ｃ及びユーザ情報用データベース２１ｄが構築されている。
【００５０】
情報検索用データベース２１ａは、ＴＯＣ情報から、楽曲データに関する属性情報を検索するためのものであり、ここには、ＴＯＣ情報に対応付けられて楽曲データに関する属性情報（例えば、ＣＤタイトル、楽曲タイトル、アーティスト名、作曲者名、製作者等）が登録（記憶）されている。この情報検索用データベース２１ａには、公知のいわゆるＣＤＤＢを適用することができる。また、これらの情報のそれぞれには、識別子が付与されている。また、上記属性情報は、例えば、新しいＣＤが発売される際に、オペレータにより入力部２２を介して、情報検索用データベース２１ａに登録されることになる。
【００５１】
関連情報用データベース２１ｂには、上記関連情報を構成すべき、楽曲データに関連する付随情報及び、楽曲データ又は付随情報に関連する広告情報に係る画像データ、テキストデータ及び音声データ等が登録（記憶）されている。これらの情報のそれぞれには、識別子（例えば、ＣＤの種類毎に異なる識別子）が付与されている。なお、この識別子の付与に関しては、上記情報の関連項目に対して同一の識別子を付与するもの、関連項目であっても上記情報の種類によって異なる識別子を付与するものなど様々な対応が考えられる。
【００５２】
また、各付随情報及び各広告情報には、権利者側により設定されたポイント数若しくは、情報提供者により設定されたポイント数が付加されている。権利者側により設定されたポイント数は、例えば、情報提供者が情報提供サーバ２から車載用ＡＶ装置１に関連情報を提供した場合において、その情報提供者が権利者側へ支払う対価（関連情報に含まれるＣＤコンテンツ等の付随情報の使用料（金銭））算出のベースになるものである。
【００５３】
一方、情報提供者により設定されたポイント数は、例えば、情報提供者が情報提供サーバ２から車載用ＡＶ装置１に関連情報を提供した場合において、権利者側がその情報提供者へ支払う対価（例えば、関連情報に含まれるレーベルの新譜のプロモーション情報等の広告情報の広告料、或いは、ＣＤコンテンツ等の付随情報の提供がプロモーション活動の一貫である場合の付随情報の広告料（金銭））算出のベースになるものである。なお、かかるポイント数は、情報価値の大小や、提供期間（例えば、広告情報を情報提供サーバ２から提供する宣伝広告期間）等に応じて設定される。なお、かかるポイント数は、権利者側と情報提供者の双方により設定されるようにしてもよい。
【００５４】
また、上記付随情報は、例えば、新しいＣＤが発売される際に、オペレータにより入力部２２を介して、関連情報用データベース２１ｂに登録されることになる。また、広告情報は、例えば、ＣＤ販売・製作者からの要請に基づきオペレータにより入力部２２を介して、随時、登録及び更新されることになる。
【００５５】
情報マッチング用データベース２１ｃには、上記情報検索用データベース２１ａに登録された楽曲データに関する属性情報と、上記関連情報用データベース２１ｂに登録された付随情報及び広告情報とをマッチング（対応付け）するための情報（以下、「マッチング情報」という）が登録（記憶）されている。例えば、識別子が「ａｂｃ」である付随情報には、識別子が「ｘｙｚ」である属性情報が対応するとの情報が登録されている。このようなマッチング情報も、例えば、オペレータにより入力部２２を介して、登録されることになる。
【００５６】
ユーザ情報用データベース２１ｄには、車載用ＡＶ装置１のユーザ情報がユーザ毎に区別されて登録（記憶）されている。ユーザ情報には、例えば、装置識別情報（車載用ＡＶ装置１毎に固有）と、ユーザ登録用紙に記入された記入情報（ユーザが車載用ＡＶ装置１購入の際に記入した氏名、住所、電話番号、メールアドレス、性別等）と、車載用ＡＶ装置１からのアクセス履歴とが含まれる。かかるアクセス履歴には、アクセス日時、そのアクセス時に車載用ＡＶ装置１に送信された関連情報を特定するための情報が含まれる。つまり、かかる関連情報を特定するための情報によりユーザが何のＣＤを占有しているかが分かるようになっている。装置識別情報及び記入情報は、車載用ＡＶ装置１が購入される際に、例えば、オペレータにより入力部２２を介して登録されることになる。
【００５７】
入力部２２は、例えば、キーボード、マウス等により構成されており、オペレータが操作することにより、当該オペレータからの操作指示を受け付けるものであり、その操作に対応する操作信号が生成されてバス２５を介して制御部２４等に出力される。
【００５８】
通信部２３は、ネットワーク４を介して車載用ＡＶ装置１若しくは権利者側サーバ３とデータ通信を行うためのものである。
【００５９】
制御部２４は、演算機能を有するコンピュータとしてのＣＰＵ、作業用ＲＡＭ、通信処理プログラム等を含む各種処理プログラムやデータを記憶するＲＯＭ、発振回路等を備えており、入力部２２からの操作信号を受けると、そこに含まれている操作内容に基づいて各構成部分を制御するための制御情報を生成してバス２５を介して該当する構成部分に出力するようになっている。これにより、制御部２４は、情報提供サーバ２を構成する各構成部分の動作を統轄制御する。
【００６０】
また、制御部２４は、ＲＯＭ等に記憶された情報提供処理プログラムを実行することにより、本願の識別情報受信手段、関連情報取得手段、関連情報提供手段、対価情報提供手段及びユーザ情報管理手段として機能するようになっている。
【００６１】
より具体的には、制御部２４は通信部２３と共に識別情報受信手段として機能することにより、車載用ＡＶ装置１から送信されたＴＯＣ情報をネットワーク４を介して受信する。
【００６２】
そして、制御部２４は関連情報取得手段として機能することにより、当該ＴＯＣ情報に基づいて、上記付随情報と、上記広告情報との少なくとも何れかから成る関連情報を関連情報用データベース２１ｂから取得する。例えば、制御部２４は、情報検索用データベース２１ａからＴＯＣ情報に対応付けられた属性情報を取得して、情報マッチング用データベース２１ｃに登録されたマッチング情報から、かかる属性情報に対応つけられた付随情報及び広告情報の双方或いは何れか一方を関連情報（属性情報を関連情報に含めるようにしてもよい）として関連情報用データベース２１ｂから取得する。
【００６３】
なお、この情報検索用データベース２１ａは、情報提供サーバ２に設けられず、当該情報提供サーバ２にネットワーク４を介して接続された情報検索サーバ内に設けられるように構成してもよい。この場合、情報提供サーバ２は、ＴＯＣ情報を情報検索サーバにネットワーク４を介して送信し、これに対して情報検索サーバから返信された属性情報を取得することになる。
【００６４】
そして、制御部２４は通信部２３と共に関連情報提供手段として機能することにより、当該関連情報をネットワーク４を介して車載用ＡＶ装置１に提供（送信）する。
【００６５】
また、制御部２４は通信部２３と共に対価情報提供手段として機能することにより、車載用ＡＶ装置１に提供された関連情報に応じた対価情報をネットワーク４を介して権利者側サーバ３に提供する。
【００６６】
ここで、関連情報に応じた対価には、上述のように、情報提供者から権利者側に支払う使用料及び、権利者側から情報提供者に支払う広告料の金銭が含まれる。当該対価が上記使用料及び広告料の金銭である場合、制御部２４は対価算出手段として機能することにより、上記ポイント数に基づいて、提供された関連情報に応じた対価としての金銭を算出する。例えば、制御部２４は、提供した関連情報に含まれる付随情報及び広告情報のそれぞれに付加されたポイント数（権利者側或いは、情報提供者もしくはこれら双方により設定）を積算し、積算されたポイント数と所定単価との積を対価としての金銭とする。
【００６７】
ここで、関連情報を構成する付随情報及び広告情報に対して権利者側により設定されたポイント数のみが付加されていた場合、例えば、情報提供者は、算出された対価としての金銭を権利者側に支払う（例えば、情報提供サーバ２から自動的に銀行振込を行う）ことになり、この場合、権利者側サーバ３に提供される対価情報には、情報提供者から権利者側への金銭の支払を示す情報（例えば、当該対価としての金銭を支払ったことを示す情報（例えば、支払証明書））が含まれることになる。
【００６８】
一方、関連情報を構成する付随情報及び広告情報に対して情報提供者により設定されたポイント数のみが付加されていた場合、例えば、情報提供者は、算出された対価としての金銭を権利者側に請求することになり、この場合、権利者側サーバ３に提供される対価情報には、権利者側から情報提供者への金銭の支払を示す情報（例えば、当該対価としての金銭の支払い請求を示す情報（例えば、請求書））が含まれることになる。
【００６９】
なお、ここでは、権利者側及び情報提供者の何れか一方により設定されたポイント数のみが存在する場合、一方が他方に一方的に上記対価を支払う場合を示したが、これに限るものでなく、一方により設定されたポイント数のみが存在する場合であっても、双方共に対価の授受が生じる場合も考えられる。例えば、この場合、権利者側により設定されたポイント数に対し、さらに、権利者対価用若しくは情報提供者対価用の情報が付加されており、権利者側により設定されたポイント数（権利者対価用）に基づいて算出された対価は、情報提供者が権利者側に対して支払う対価となる。一方、権利者側により設定されたポイント数（情報提供者対価用）に基づいて算出された対価は、権利者側が情報提供者に対して支払う対価となる。情報提供者により設定されたポイント数の場合であっても同様である。
【００７０】
ところで、関連情報を構成する付随情報及び広告情報に対して権利者側及び情報提供者により設定されたポイント数が付加されていた場合（例えば、付随情報には権利者側により設定されたポイント数が付加され、広告情報には情報提供者により設定されたポイント数が付加されている場合）、制御部２４は、権利者側により設定されたポイント数の積算値（以下、権利者側ポイント積算値）と、情報提供者により設定されたポイント数の積算値（以下、情報提供者ポイント積算値）を算出、それら比較しその差分の絶対値を算出する。そして、その差分の絶対値と所定単価との積を対価としての金銭とする。
【００７１】
もし、権利者側ポイント積算値の方が情報提供者ポイント積算値より大きい場合には、情報提供者は、算出された対価（差分に応じた対価）としての金銭を権利者側に支払うことになり、この場合、権利者側サーバ３に提供される対価情報には、情報提供者から権利者側への金銭の支払を示す情報が含まれることになる。また、情報提供者ポイント積算値の方が権利者側ポイント積算値より大きい場合には、情報提供者は、算出された対価としての金銭を権利者側に請求することになり、この場合、権利者側サーバ３に提供される対価情報には、権利者側から情報提供者への金銭の支払を示す情報が含まれることになる。また、権利者側ポイント積算値と情報提供者ポイント積算値とが等しい場合には、対価としての金銭が相殺され、この場合、権利者側サーバ３に提供される対価情報には、金銭の支払を示す情報として対価が相殺されたことを示す情報が含まれることになる。
【００７２】
以上のように関連情報に応じた対価を金銭により処理する場合の他に、例えば、当該対価を関連情報により処理する場合や、当該対価をユーザ情報等の付加価値を有する情報の授受により処理する場合がある。
【００７３】
当該対価を関連情報により処理する場合、即ち、かかる対価として、情報提供者から権利者側に支払われる使用料の代わりに、情報提供者からユーザに提供される関連情報（例えば、権利者側の新譜のプロモーション情報等の広告情報、或いは、ＣＤコンテンツ等の付随情報の提供がプロモーション活動の一貫である場合の当該付随情報）とする場合、車載用ＡＶ装置１に提供される関連情報は、当該関連情報が有する広告効果によりその関連情報に応じた対価が相殺される情報である。この場合、上記ポイント数により算出された対価としての金銭を考慮しなくてもよい。また、この場合、権利者側サーバ３に提供される対価情報には、情報提供者が権利者側に支払う対価の代わりに関連情報が車載用ＡＶ装置１に提供されたことを示す情報が含まれることになる。
【００７４】
また、当該対価をユーザ情報等の付加価値を有する情報の授受により処理する場合、即ち、かかる対価として、情報提供者から権利者側に支払われる使用料の代わりに、情報提供者から権利者側に提供されるユーザ情報とする場合、権利者側サーバ３に提供される対価情報には、当該ユーザ情報から年齢性別等の統計的に利用価値が高いデータ等が含まれることになる。この場合も、上記ポイント数により算出された対価を考慮しなくてもよい。
【００７５】
また、制御部２４はユーザ情報管理手段として機能することにより、車載用ＡＶ装置１のユーザ毎にユーザ情報を、上記ユーザ情報用データベース２１ｄを用いて管理し、車載用ＡＶ装置１からＴＯＣ情報の送信がある毎に、当該ＴＯＣ情報に基づいてユーザ情報を更新する。つまり、制御部２４は、ユーザ情報に含まれる上記アクセス履歴を更新することによって、常に最新のユーザ情報（例えば、ユーザが、現在何のＣＤを占有しているかを示す情報）を認識することができる。そして、制御部２４が上記関連情報を取得する際に、かかるユーザ情報に見合った広告情報を取得するようにしてもよい。例えば、ユーザが現在占有しているＣＤに収録された楽曲データと同一ジャンルや同一アーティストに関するＣＤの広告情報が取得される。
【００７６】
なお、例えば、関連情報が車載用ＡＶ装置１に提供される毎に、そこに含まれる広告情報及び付随情報に付加されたポイント数をユーザ毎に積算し、当該ポイント数に応じて、例えば音楽配信（ボーナストラックの配信）やＣＤ購入の割引特典やプレゼントなど、ユーザに還元する還元する仕組みを構築するようにしてもよい。
【００７７】
なお、上記情報提供処理プログラムは、ネットワーク４に接続された所定のサーバからダウンロードされるようにしてもよい。
【００７８】
［権利者側サーバ］
次に、権利者側サーバ３の構成及び機能について説明する。
【００７９】
権利者側サーバ３は、上述した権利者側により固定設置されるものであり、図１に示すように、記憶部３１、入力部３２、通信部３３及び制御部３４を含んで構成されており、各構成部分は、バス３５を介して相互に接続されている。
【００８０】
記憶部３１は、ハードディスク等から構成されており、ここには、情報提供サーバ２から送信された対価情報が記憶されるようになっている。
【００８１】
制御部３４は、演算機能を有するコンピュータとしてのＣＰＵ、作業用ＲＡＭ、通信処理プログラム等を含む各種処理プログラムやデータを記憶するＲＯＭ、発振回路等を備えており、入力部３２からの操作信号を受けると、そこに含まれている操作内容に基づいて各構成部分を制御するための制御情報を生成してバス３５を介して該当する構成部分に出力するようになっている。これにより、制御部３４は、情報検索サーバ３を構成する各構成部分の動作を統轄制御する。
【００８２】
そして、制御部３４は、情報提供サーバ３から送信された対価情報をネットワーク４及び通信部３３を介して受信し、記憶部３１に記憶するようになっている。
【００８３】
入力部３２及び通信部３３の機能については、上記情報提供サーバ２における入力部２２及び通信部２３の機能と同様である。
【００８４】
［車載用ＡＶシステムの動作］
次に、図１乃至図３を参照して、車載用ＡＶシステムＳの動作を説明する。図２及び図３は、車載用ＡＶ装置１にてＣＤ再生、ＨＤ再生及びＣＤリッピングが行われる場合の処理を示すものであり、具体的には、図２は、車載用ＡＶ装置１の制御部１７の処理を示すフローチャートであり、図３は、情報提供サーバ２の制御部２４の処理を示すフローチャートである。
【００８５】
先ず、図２を参照して車載用ＡＶ装置１における処理について説明する。
【００８６】
図２の処理において、例えば、ユーザが店舗で購入し占有しているＣＤを、車両内に持ち込みＣＤ再生部１１に装填すると、車載用ＡＶ装置１の制御部１７は、ＣＤ再生部１１により当該ＣＤの最内周部から読み出されたＴＯＣ情報を取得し、例えば、作業用ＲＡＭに記憶する（ステップＳ１）。
【００８７】
次に、ユーザが入力部１３に設けられた操作ボタンを操作することにより、ＣＤ再生、ＨＤ再生及びＣＤリッピングの少なくとも何れか一つの動作指示を入力すると、制御部１７は、これを認識し（ステップＳ２：Ｙ）、その動作指示に応じた指令を各部に出力する（ステップＳ３）。
【００８８】
例えば、ＣＤ再生の動作指示が入力された場合には、ＣＤ再生部１１に対し楽曲データの再生指令を与える。これにより、ＣＤ再生部１１は再生準備を経て再生動作に移行することになる。
【００８９】
一方、ＣＤリッピングの動作指示が入力された場合には、ＣＤ再生部１１に対し楽曲データの再生指令を、ＨＤ記録再生部１２に対しその楽曲データの記録指令をそれぞれ与える。これにより、ＣＤ再生部１１は再生準備を経て再生動作に移行し、ＨＤ記録再生部１２は記録準備を経て記録動作に移行することになる（即ち、ＣＤリッピングはＣＤ再生と同時に行われるのが通常の動作である）。なお、楽曲データがＨＤに記録される際には、かかる楽曲データに対応付けられてＴＯＣ情報も記憶されることになる。
【００９０】
一方、ＨＤ再生の動作指示が入力された場合には、ＨＤ記録再生部１２に対し楽曲データの再生指令を与えると共に、楽曲データに対応付けられてＨＤに記憶されたＴＯＣ情報をＨＤ記録再生部１２から取得する。これにより、ＨＤ記録再生部１２は再生準備を経て再生動作に移行することになる。
【００９１】
次に、制御部１７は、通信部１６を通じて、情報提供サーバ２との通信をネットワーク４を介して確立し、取得したＴＯＣ情報と共に装置識別情報をネットワーク４を介して情報提供サーバ２に送信する（ステップＳ４）。かかるＴＯＣ情報を受信した情報提供サーバ２等における処理は、後述する。
【００９２】
次に、車載用ＡＶ装置１が上記ＴＯＣ情報に応じて情報提供サーバ２から提供（送信）された関連情報をネットワーク４を介して受信する（ステップＳ５：Ｙ）と、制御部１７は、上記ＴＯＣ情報とその関連情報とを対応付けてＨＤ記録再生部１２に記憶させる（ステップＳ６）。
【００９３】
次に、制御部１７は、その関連情報を、楽曲データの再生時、或いは、楽曲データの記録時にユーザに提示する（ステップＳ７）。こうして、ユーザは、再生された楽曲を聴きながら、例えば、液晶表示パネルの画面上に表示されたジャケット写真画像や、楽曲の歌詞等の付随情報を見ることができる。
【００９４】
また、関連情報に、付随情報と広告情報が含まれていた場合には、制御部１７は、その付随情報と広告情報とを液晶表示パネルの同一画面上に表示してユーザに提示する。例えば、画面の右半分に現在再生されている楽曲のアーティストの写真画像が表示され、当該画面の左半分にそのアーティストの近日発売予定のＣＤのジャケット写真（○月○日発売の旨も表示）画像が表示される。これにより、ユーザに対しそのＣＤの購買意欲を喚起させることができる。
【００９５】
次に、図３を参照して情報提供サーバ２における処理について説明する。なお、図３の処理は、制御部２４において上記情報提供プログラムが実行されることにより行われる。
【００９６】
図３の処理において、情報提供サーバ２の制御部２４が車載用ＡＶ装置１から送信されたＴＯＣ情報及び装置登録情報をネットワーク４を介して受信すると（ステップＳ２１）、当該制御部２４は、情報検索用データベース２１ａを参照して、当該ＴＯＣ情報に対応する楽曲データに関する属性情報を取得する（ステップＳ２２）。
【００９７】
次に、制御部２４は、情報マッチング用データベース２１ｃに登録されたマッチング情報から、かかる属性情報に対応つけられた付随情報及び広告情報の双方或いは何れか一方を関連情報として関連情報用データベース２１ｂから取得する（ステップＳ２３）。そして、制御部２４は、当該関連情報をネットワーク４を介して車載用ＡＶ装置１に提供（送信）する（ステップＳ２４）。
【００９８】
次に、制御部２４は、ユーザ情報用データベース２１ｃを参照し、上記受信された装置識別情報に対応するユーザ情報を更新（ステップＳ２５）、つまり、車載用ＡＶ装置１からのアクセス日時及びその車載用ＡＶ装置１に送信した関連情報を特定するための情報を、そのユーザ情報に追加する。これにより、制御部２４は、ユーザが何のＣＤを占有しているかについて、常に、最新の情報を認識することができる。
【００９９】
次に、制御部２４は、上述したように、提供された関連情報に含まれる付随情報及び広告情報の双方或いは何れか一方に付加されたポイント数に基づいて、提供された関連情報に応じた対価としての金銭を算出する（ステップＳ２６）。
【０１００】
そして、制御部２４は、上述した、関連情報に応じた対価を金銭により処理する場合、当該対価を関連情報により処理する場合、当該対価をユーザ情報により処理する場合の何れかに従い、関連情報に応じた対価情報をネットワーク４を介して権利者側サーバ３に提供する（ステップＳ２７）。関連情報に応じた対価を金銭により処理する場合、当該対価を関連情報により処理する場合、当該対価をユーザ情報により処理する場合の何れかによるかは、予め設定され記憶部２１に記憶されていることになる。
【０１０１】
例えば、関連情報に応じた対価を金銭により処理する場合、上述したように、制御部２４は、関連情報に応じた金銭の支払を示す情報として、対価としての金銭を支払ったことを示す情報、或いは、対価としての金銭の支払い請求を示す情報、或いは、対価が相殺されたことを示す情報を権利者側サーバ３に提供する。
【０１０２】
一方、関連情報に応じた対価を当該関連情報により処理する場合、制御部２４は、情報提供者が権利者側に支払う対価の代わりに当該関連情報が車載用ＡＶ装置１に提供されたことを示す情報を権利者側サーバ３に提供する。
【０１０３】
一方、関連情報に応じた対価をユーザ情報により処理する場合、制御部２４は、上記ステップＳ２５にて更新されたユーザ情報を権利者側サーバ３に提供する。これにより、権利者側は、そのユーザ情報をプロモーション活動に有効に活用することができる。
【０１０４】
以上説明したように、上記実施形態によれば、楽曲データに係る関連情報が車載用ＡＶ装置１に提供される場合に、その関連情報に応じた対価の処理をより効率的に、また、種々の態様で行うことができ、その対価情報を迅速に権利者側に通知することができる。従って、楽曲データの再生時若しくは記録時に当該関連情報をユーザに提供するシステムをより活性化させることができる。
【０１０５】
なお、上記実施形態においては、本願の識別情報の一例としてＴＯＣ情報を適用したが、これに限定されるものでなく、楽曲データ等を特定できるものであれば如何なるものであってもよい。例えば、ＣＤテキスト規格によりＣＤから上記属性情報を含むテキスト情報を読み出すことができる場合には、車載用ＡＶ装置１は、そのテキスト情報をＴＯＣ情報の代わりに識別情報として取得し、ネットワーク４を介して情報提供サーバ２に送信するように構成してもよい。また、楽曲データ等のプログラム情報そのものを識別情報として利用するようにしても良い。
【０１０６】
また、上記実施形態においては、情報検索用データベース２１ａを情報提供サーバ２に設けた場合について説明したが、情報検索用データベース２１ａの一部を端末である車載用ＡＶ装置１に予め備えるようにしてもよい。つまり、既知の楽曲データに関する属性情報等に関しては予め車載用ＡＶ装置１に備えておき、情報提供サーバ２を介さずに車載用ＡＶ装置１から直接属性情報を情報提供サーバ２に送信するようにし、新譜等の未知の楽曲データに関する属性情報等に関してのみ情報提供サーバ２の情報検索用データベース２１ａを利用するようにしてもよい。
【０１０７】
また、上記実施形態においては、本願の「１の記録媒体に記録されたプログラム情報を再生し他の記録媒体に記録する」例として、ＣＤに記録された楽曲データを再生しＨＤに記録する場合について説明したが、別の例として、車載用ＡＶ装置１がネットワーク４に接続された音楽配信サーバから楽曲データ（例えば、ＭＰ３で圧縮された楽曲データ）をダウンロードしＨＤに記録するようにしてもよい。この場合、ＨＤに記録される楽曲データに対応する識別情報は、当該楽曲データ共に音楽配信サーバからダウンロードしてもよいし、ＨＤに楽曲データが記録される際にユーザが入力するように構成してもよい。
【０１０８】
また、上記実施形態においては、楽曲データをそのままＨＤに記録するように構成したが、例えば、ＭＰ３、ＡＴＲＡＣ３等のフォーマットで圧縮したり、著作権保護のための楽曲データの暗号化を行ってから楽曲データをＨＤに記録するように構成してもよい。
【０１０９】
また、上記実施形態においては、情報提供者と権利者側との間の対価の授受に関して主に説明したが、上記ポイント数をユーザ毎に積算し、当該ポイント数に応じて例えば音楽配信（ボーナストラックの配信）やＣＤ購入の割引特典やプレゼントなど、上記ポイント数を利用してユーザに還元する仕組みを構築するようにしてもよい。
【０１１０】
また、上記実施形態においては、情報提供サーバ２と権利者側サーバ３との間で対価情報として、金銭及びユーザ情報等の付加価値情報を授受する場合について説明したが、権利者側サーバ３から情報提供サーバ２に対して、広告情報等の取り扱いについて権利者の広告意図を示す情報（広告期間や、どういう場合に広告情報をユーザに提供するか等の付加価値情報）を対価情報の一部として送信するようにしてもよい。
【０１１１】
また、上記実施形態においては、情報提供サーバ２と権利者側サーバ３との間の対価情報の授受はネットワーク４を介して自動的に行われる最も好適な場合について説明したが、これら対価情報の全ての授受をネットワーク４を介して行うものに限定されず、上記対価情報の一部について別途ネットワーク４を介さずに情報の授受を行うようにしても良い。つまり例えば、対価情報としてユーザ情報等の付加価値を有する情報等、その情報の有する性質（即効性・秘匿性等）に応じて設定すればよい。
【０１１２】
また、上記実施形態においては、本願の情報再生装置及び情報再生記録装置を車載用ＡＶ装置に適用したが、これに限定されるものではなく、例えば、家庭用ＡＶ装置や、車載用ナビゲーション装置に対して適用するようにしてもよい。
【図面の簡単な説明】
【図１】本願の情報提供システムの一例としての車載用ＡＶシステムＳの概要構成を示すブロック図である。
【図２】車載用ＡＶ装置１の制御部１７の処理を示すフローチャートである。
【図３】情報提供サーバ２の制御部２４の処理を示すフローチャートである。
【符号の説明】
１　車載用ＡＶ装置
２　情報提供サーバ
３　権利者側サーバ
４　ネットワーク
１１　ＣＤ再生部
１２　ＨＤ記録再生部
１３　入力部
１４　表示制御部
１５　音声出力部
１６　通信部
１７　制御部
１８　バス
２１　記憶部
２２　入力部
２３　通信部
２４　制御部
２５　バス
３１　記憶部
３２　入力部
３３　通信部
３４　制御部
３５　バス
Ｓ　車載用ＡＶシステム
【図１】
2004133625.tif 000003
【図２】
2004133625.tif 000004
【図３】
2004133625.tif 000005